(57)【特許請求の範囲】
【請求項１】
体毛をカットする刃部を長手方向の先端部に設けた本体部と、
前記本体部に、当該本体部の長手方向に沿ってスライド可能に装着された把持部と、
前記本体部に取り付けられ、電動刃のオン・オフ動作を切り換えるスイッチを操作する可動子と、
前記可動子のオン操作と連動して前記本体部と把持部との相対スライドをロックするスライドロック機構と、
を備えることを特徴とする電動除毛器。
【請求項２】
前記スライドロック機構は、
前記把持部に所定間隔をもって長手方向に複数設けた凹部に付勢力をもって係脱自在に嵌合するスライドロック釦と、
前記可動子に連動して往復動するスイッチ連結部材と、
前記スイッチ連結部材に連動し、可動子のオン操作時に前記スライドロック釦が前記凹部から離脱するのを阻止するスライド規制片と、
を有することを特徴とする請求項１に記載の電動除毛器。
【請求項３】
体毛をカットする刃部を長手方向の先端部に設けた本体部と、
前記本体部に、当該本体部の長手方向に沿ってスライド可能、かつ回動可能に装着された把持部と、
前記本体部に取り付けられ、電動刃のオン・オフ動作を切り換えるスイッチを操作する可動子と、
前記可動子のオン操作と連動して前記本体部と把持部との相対スライドをロックするスライドロック機構と、
前記可動子のオン操作と連動して前記本体部と把持部との相対回動をロックする回動ロック機構と、
を備えることを特徴とする電動除毛器。
【請求項４】
前記回動ロック機構は、
前記把持部と一体に回動してその外周に凹凸部を形成したクリック部材と、
前記クリック部材の凹凸部に付勢力をもって係脱自在に嵌合する回動ロック部材と、
前記可動子に連動して往復動するスイッチ連結部材と、
前記スイッチ連結部材に連動し、可動子のオン操作時に前記回動ロック部材が前記クリック部材から離脱するのを阻止する回動規制片と、
を有することを特徴とする請求項３に記載の電動除毛器。
【発明の詳細な説明】
【技術分野】
【０００１】
本発明は、体毛を除去するための電動除毛器に関する。
【背景技術】
【０００２】
従来、電気カミソリなどの電動除毛器では、把持部も兼ねる本体部の先端部に体毛をカットする刃ブロック部を設けてある。本体部の内部には、刃を駆動させるためのモータ、モータの駆動を伝達するための駆動子、ならびにモータを駆動させるための電池ブロック等が収容されており、スイッチをＯＮ操作することでモータを駆動させ、刃を動かして除毛できるようになっている。
【０００３】
一方、手動式の安全カミソリには、本体部を屈曲可能に構成したり、伸縮可能に構成したりすることで、使用時においては利用者が使いやすい形状になり、使用後にはコンパクトに収納できるようにしたものが知られている（例えば、特許文献１参照）。
【特許文献１】特開２００７−１０５０７７号公報
【発明の開示】
【発明が解決しようとする課題】
【０００４】
しかしながら、上記従来の電動除毛器では、本体部の内部にモータや、駆動子、電池ブロック等を収納する関係上、把持部を兼ねる本体部を伸縮自在に構成することが困難であった。すなわち、従来の電動除毛器の本体部は比較的短い長さで固定されているため、手の届かないあるいは届きにくい場所での体毛の除去は行い難くなっていた。
【０００５】
そこで、本発明は、より使い勝手を向上させることが可能な電動除毛器を得ることを目的とする。
【課題を解決するための手段】
【０００６】
請求項１の発明にあっては、体毛をカットする刃部を長手方向の先端部に設けた本体部と、上記本体部に、当該本体部の長手方向に沿ってスライド可能に装着された把持部と、上記本体部に取り付けられ、電動刃のオン・オフ動作を切り換えるスイッチを操作する可動子と、上記可動子のオン操作と連動して上記本体部と把持部との相対スライドをロックするスライドロック機構と、を備えることを特徴とする。
【０００７】
請求項２の発明にあっては、上記スライドロック機構は、上記把持部に所定間隔をもって長手方向に複数設けた凹部に付勢力をもって係脱自在に嵌合するスライドロック釦と、上記可動子に連動して往復動するスイッチ連結部材と、上記スイッチ連結部材に連動し、可動子のオン操作時に上記スライドロック釦が上記凹部から離脱するのを阻止するスライド規制片と、を有することを特徴とする。
【０００８】
請求項３の発明にあっては、体毛をカットする刃部を長手方向の先端部に設けた本体部と、上記本体部に、当該本体部の長手方向に沿ってスライド可能、かつ回動可能に装着された把持部と、上記本体部に取り付けられ、電動刃のオン・オフ動作を切り換えるスイッチを操作する可動子と、上記可動子のオン操作と連動して上記本体部と把持部との相対スライドをロックするスライドロック機構と、上記可動子のオン操作と連動して上記本体部と把持部との相対回動をロックする回動ロック機構と、を備えることを特徴とする。
【０００９】
請求項４の発明にあっては、上記回動ロック機構は、上記把持部と一体に回動してその外周に凹凸部を形成したクリック部材と、上記クリック部材の凹凸部に付勢力をもって係脱自在に嵌合する回動ロック部材と、上記可動子に連動して往復動するスイッチ連結部材と、上記スイッチ連結部材に連動し、可動子のオン操作時に上記回動ロック部材が上記クリック部材から離脱するのを阻止する回動規制片と、を有することを特徴とする。
【発明の効果】
【００１０】
請求項１の発明によれば、本体部と別体に設けた把持部を、本体部に対して長手方向に沿って伸縮するようにスライド可能に構成した。このため、利用者が刃部を皮膚に当てるときに、本体部および把持部を使いやすい長さに変化させることができ、電動除毛器の使い勝手を向上させることができる。また、スライドロック機構を設けて、可動子のオン操作に連動して本体部と把持部との相対スライドをロックするようにしたので、電動除毛器の使用時に本体部と把持部とが不本意に相対スライドするのを抑制でき、使い勝手をより一層向上することができる。
【００１１】
請求項２の発明によれば、スライドロック機構を、比較的簡素な構成として得ることができる。
【００１２】
請求項３の発明によれば、本体部と別体に設けた把持部を、本体部に対して長手方向に沿って伸縮するようにスライド可能、かつ回動可能に構成した。このため、利用者が刃部を皮膚に当てるときに、本体部および把持部を使いやすい長さや角度に変化させることができ、電動除毛器の使い勝手を向上させることができる。また、スライドロック機構と回動ロック機構とを設けて、可動子のオン操作に連動して本体部と把持部との相対スライドおよび相対回動をロックするようにしたので、電動除毛器の使用時に本体部と把持部とが不本意に相対スライドしたり相対回動したりするのを抑制でき、使い勝手をより一層向上することができる。
【００１３】
請求項４の発明によれば、スライドロック機構および回動ロック機構を、比較的簡素な構成として得ることができる。
【発明を実施するための最良の形態】
【００１４】
以下、本発明の実施形態について図面を参照しながら詳細に説明する。図１〜図１７は本発明にかかる電動除毛器の一実施形態を示している。このうち、図１は、電動除毛器の正面図、図２は、電動除毛器の側面図、図３は、図１中III−III線に沿った断面図、図４は、把持部と正面カバーを外した電動除毛器の正面図、図５は、把持部と正面カバーを外した電動除毛器の側面図である。
【００１５】
また、図６は、把持部を最も大きく引き出した状態での電動除毛器の正面図、図７は、把持部を最も大きく引き出した状態での電動除毛器の側面図、図８は、図７中VIII−VIII線に沿った断面図、図９は、把持部の正面図、図１０は、図９中X−X線に沿った断面図、図１１は、角度調整機構の断面図である。
【００１６】
また、図１２は、把持部を最も大きく回動させた状態での電動除毛器の斜視図、図１３は、把持部を最も大きく回動させた状態での電動除毛器の側面図、図１４は、荷重逃がし部の作動状態での電動除毛器の側面図、図１５は、荷重逃がし部の作動状態を示す角度調整機構の断面図である。さらに、図１６は、図４中XVI−XVI線に沿った断面図、図１７は、電動除毛器の正面カバーおよびスイッチ連結板を外した状態での正面図である。
【００１７】
図１および図２に示すように、本実施形態にかかる電動除毛器１は、体毛をカットする刃部としての刃ブロック２を長手方向（図中上下方向）の先端部に設けた本体部３を備えている。本体部３は長手方向に緩やかに略一定半径の円弧に沿って湾曲形成してあり、これに伴って本体部３の両側に配置した把持部４も湾曲している。なお、便宜上、本実施形態では、湾曲形成した本体部３の径内側を正面側、径外側を背面側と規定する。
【００１８】
刃ブロック２は、長い毛をカットするための櫛状のトリマー刃２Ｔと、このトリマー刃２Ｔで短くした毛を仕上げるためのネット刃２Ｎと、を有している。ネット刃２Ｎは刃ブロック２の先端に固定的に突出している。一方、トリマー刃２Ｔは、刃ブロック２の正面側に配置したトリマーハンドル２Ｈを上下操作することにより、刃ブロック２の先端から出没するようになっている。
【００１９】
本体部３の内部には、図３に示すように、トリマー刃２Ｔおよびネット刃２Ｎを駆動させるためのモータ５を設置してある。モータ５の先端には偏芯カム５ａを介して駆動子５ｂを偏心状態で取り付けて、モータ５の回動運動を駆動子５ｂを往復運動に変換するようになっている。また、本体部３の内部には、モータ５を駆動するための電池ブロックＢも収容されている。
【００２０】
本体部３の正面側のほぼ中央部には可動子としてのスイッチハンドル６を設けてある。このスイッチハンドル６は本体部３の正面カバー３Ｃにフックにて係合して長手方向に往復移動して、モータ５を駆動する回路の開閉の切り換え、すなわち、電源のオン・オフの切り換えを行うスイッチの操作子となっている。
【００２１】
そして、本実施形態にかかる電動除毛器１では、本体部３に対して把持部４を別体に設け、その把持部４を本体部３に対して長手方向に沿って伸縮するようにスライド可能、かつ回動可能に装着してある。
【００２２】
把持部４は、図９に示すように、本体部３の短手方向両側（短手方向両端側、正面視で左右両側）となる両側部４Ｓ１，４Ｓ２と、それら両側部４Ｓ１，４Ｓ２の引き出し方向の先端側を連結した連結部４Ｃと、によって本体部３の外周に沿ったほぼＵ字状に形成してある。
【００２３】
図４および図５に示すように、本体部３の図中下方に位置する底部３Ｂの両側には、スライドロック釦７を中心として回動する回動基台９を設けてある。また、本体部３の側面には、把持部４をスライドさせるためにレール溝１０を設置してあるとともに、回動基台９にもレール溝１０の延長上にレール溝１０Ａを設置してある。
【００２４】
一方、把持部４の両側部４Ｓ１，４Ｓ２の内面には、図１０に示すように上述したレール溝１０，１０Ａにスライド自在に係合するレール１１を形成してある。このレール１１をレール溝１０，１０Ａに挿入することにより、図１および図２に示すように把持部４が本体部３の両側に配置され、レール溝１０，１０Ａに沿ってレール１１をスライドさせることで、把持部４が本体部３の長手方向に沿って移動できるようになっている。かくして、本体部３と把持部４とが全体的に伸縮する構成が得られる。なお、図１および図２は短縮状態を示し、図６および図７は伸長状態を示している。
【００２５】
また、図１０に示すように、レール１１の内側には、スライドロック釦７に係脱自在に嵌合する複数のレール凹部１１ａ、１１ｂ、１１ｃを長手方向に適宜間隔をもって設けてある。図８に示すように、スライドロック釦７は内面にコイルばね７ａを有しており、スライドロック釦７を常に外側に押し出す（付勢する）ように設定されている。これにより、スライドロック釦７はその先端部分を回動基台９に設けたレール溝１０Ａに開けた穴から常に突出させてある。そして、スライドロック釦７の先端突出部７ｂは、把持部４のスライド位置に応じてレール凹部１１ａ，１１ｂ，１１ｃに順次嵌合するようになっている。
【００２６】
つまり、本体部３および把持部４が最も縮んだ状態では、スライドロック釦７の先端突出部７ｂがレール凹部１１ａと嵌合した状態になる。この状態で把持部４を伸長方向に引っ張ると、スライドロック釦７の先端突出部７ｂとレール凹部１１ａとの係合が外れて、スライドロック釦７の先端突出部７ｂを押し込みつつ把持部４のスライドが可能となる。
【００２７】
そして、把持部４のスライドに伴って次のレール凹部１１ｂがスライドロック釦７に位置すると、コイルばね７ａの付勢力でスライドロック釦７の先端突出部７ｂが突出してレール凹部１１ｂに嵌合し、把持部４を固定することができる。さらに、同様にして把持部４が本体部３から最も引き出されたでは、スライドロック釦７の先端突出部７ｂがレール凹部１１ｃに嵌合して把持部４を固定することができる。
【００２８】
レール１１は本体部３側のレール溝１０および回動基台９側のレール溝１０Ａの双方に嵌合されているが、図６および図７に示すように、本体部３および把持部４が最も長く伸長した状態（把持部４が本体部３から最も大きく引き出された状態）、つまり、スライドロック釦７とレール凹部１１ｂとが係合した状態では、レール１１がレール溝１０から外れてレール溝１０Ａのみに係合した状態となる。
【００２９】
したがって、本体部３および把持部４が最も長く伸長した状態でのみ回動基台９の回動が可能となり、図１２および図１３に示すように、本体部３と把持部４とをＶ字状に屈曲させることができる。このときの回動の中心を、図中、回動軸Ａｘと記す。
【００３０】
そして、図１１に示すように、把持部４の回動部となる回動基台９には、把持部４の回動可能範囲内において多段階の回動固定を可能とする角度調整機構１２を設けてある。この角度調整機構１２は、回動基台９と一体に回動して外周に歯車状の凹凸部１３ａを形成したクリックギア１３と、本体部３側に設けられてクリックギア１３の凹凸部１３ａに回動抵抗を付加する板ばね状のクリック板１４と、を有している。クリック板１４の中央部にはクリックギア１３の凹凸部１３ａに係合する凸部１４ａを形成し、この凸部１４ａが凹凸部１３ａの１つに係合することにより、所定の抵抗力をもって回動基台９の回動を阻止できるようになっている。
【００３１】
そして、把持部４に所定の抵抗力以上の回動力を回動基台９に付加することにより、凹凸部１３ａからクリック板１４の凸部１４ａを押し出しつつクリックギア１３の回動が許容され、これにより把持部４の回動角（すなわち、本体部３と把持部４との相対角度）を変化させることができる。
【００３２】
凹凸部１３ａは把持部４の回動許容範囲に対応して形成してあり、クリックギア１３には凹凸部１３ａの両端部に形成した段差部１３ｂ，１３ｃが、本体部３側に形成したストッパー部３ｐ１，３ｐ２に当接することにより把持部４の回動が停止し、それ以上の回動ができないようになっている。
【００３３】
また、本実施形態では、本体部３は長手方向に緩やかに湾曲しており、図７に示すように、回動基台９の角度調整機構１２には、把持部４が本体部３の長手方向にスライドして全体として湾曲状に伸長した状態にあるときに、回動基台９に作用する一定以上の荷重に対して、本体部３と把持部４とを開く方向に固定解除する荷重逃がし部１５を設定してある。
【００３４】
すなわち、この荷重逃がし部１５は、図１１に示すように、クリックギア１３の凹凸部１３ａを所定範囲に亘って切除することによって設定してある。つまり、荷重逃がし部１５は、把持部４が伸長した状態（図７参照）から把持部４が開き方向に回動させた状態（図１４参照）までの範囲では、クリック板１４の凸部１４ａに対応した凹凸部１３ａを形成していない。
【００３５】
このような構成により、通常に把持部４を伸ばした状態でクリック板１４の凸部１４ａが係合する凹凸部１３ａの山を乗り越えた後は把持部４がフリーとなり、図１５に示すように、クリックギア１３の他方の段差部１３ｃがストッパー部３ｐ２に当接するまでは、把持部４が抵抗無く屈曲できることになる。
【００３６】
本体部３および把持部４が最も大きく伸長して略アーチ状となった状態、つまり、図７中左側が下に配置される状態で電動除毛器１を台座となる平坦面（棚などの上面）上に置いてあるときに、不意にアーチの中央部に荷重が掛かると、荷重の全てを把持部４の先端Ｐ１と刃ブロック２の先端Ｐ２との２点で荷重を受けることになる。このとき、本実施形態では、回動基台９に荷重逃がし部１５を設けてあるため、図１４に示すように本体部３と把持部４とが逆折れ状に開いて、本体部３の底部３Ｂの角部が平面台に接触して荷重を受けることができる。
【００３７】
さらに、本実施形態では、図１３に示すように、本体部３のうち先端部（すなわち刃ブロック２を設けた部分）に対して長手方向他方側となる底部３Ｂの表面に略平面状の載置面３Ｆを形成し、把持部４の回動状態で当該載置面３Ｆに沿った延長面Ｅ上に把持部４の回動軸Ａｘから離間した部分（本実施形態では先端部４Ｔ）の１点を配置し、これを接触部４Ｐとしてある。なお、本実施形態では、本体部３および把持部４を最も大きく回動させた状態で、上述した載置面３Ｆの延長面Ｅ上に把持部４の先端部４Ｔを配置してある。
【００３８】
したがって、電動除毛器１で背中などのむだ毛処理を行う際などに、把持部４を最も大きく回動させた状態で使用する姿勢のまま、台座となる平坦面上に、本体部３を立てた姿勢で、電動除毛器１を載置することができる。
【００３９】
ところで、図９に示すように、把持部４は、両側部４Ｓ１，４Ｓ２と連結部４ＣとによってＵ字状に形成されている。このようにＵ字状を成すことによって、把持部４を本体部３から引き出した状態では、その把持部４の引き出し部分をフックなどに引っ掛けておくことができる。
【００４０】
利用者が体毛を除去する場合には、風呂場等で立ちながら行うこともあるが、このような場合に、体に付着した体毛を払い落として仕上がりを確認するとき等には、一旦、電動除毛器１を手から離すことになる。このような場合に、上記引き出した把持部４をフックなどの突出部に引っ掛けておくで、床面などに放置すること無く、より速やかに作業を再開することができる。
【００４１】
ここで、本実施形態では、可動子（操作子）としてのスイッチハンドル６のオン操作に連動して把持部４の本体部３に対する相対スライドをロックするスライドロック機構２０を設けてある。
【００４２】
スライドロック機構２０は、上述したスライドロック釦７と、スイッチ連結部材としての後述のスイッチ連結板２１と、このスイッチ連結板２１に連動するスライド規制片２２と、を備えて構成してある。
【００４３】
スライドロック釦７は、上述したように、把持部４の両側部４Ｓ１，４Ｓ２に所定間隔をもって長手方向に複数設けたレール凹部１１ａ，１１ｂ，１１ｃ（図１０参照）に、図８に示すように、コイルばね７ａの付勢力をもって係脱自在に嵌合するようになっている。
【００４４】
スイッチ連結板２１は、図４に示すように、本体部３の内方に配置されてスイッチハンドル６と係合しており、スイッチハンドル６のオン・オフ操作（図中上下方向の操作）に連動して長手方向に往復移動するようになっている。
【００４５】
スライド規制片２２は、正面視で左右両側において、図１６に示すように、スイッチ連結板２１のスライドロック釦７に対応した部位の両側部分（正面視で左右両側の部分）から本体部３の内方に向けて突設されており、スライドロック釦７の底壁部７ｃと本体部３の一部となっている側壁部３ａとの間に挿抜可能に構成されている。そして、スイッチハンドル６のオン操作（すなわち長手方向一方側（図１，図４中上方への移動））に伴ってスイッチ連結板２１が長手方向一方側へ移動すると、スライド規制片２２がスライドロック釦７の底壁部７ｃと本体部３の側壁部３ａとの間に進入して、スライドロック釦７の本体部３内への没入を阻止する。したがって、スライドロック釦７は、本体部３から側外方に進出して把持部４のレール凹部１１ａ，１１ｂ，１１ｃのうちいずれかに挿入されている状態で、このスライド規制片２２によってロックされることとなり、以て、把持部４は本体部３に対して相対スライドできなくなる。
【００４６】
他方、スイッチハンドル６のオフ操作（すなわち長手方向他方側（図１，図４中下方への移動））に伴ってスイッチ連結板２１が長手方向他方側へ移動すると、スライド規制片２２はスライドロック釦７の底壁部７ｃと側壁部３ａとの間から退出する。したがって、この状態では、スライド規制片２２によるスライドロック釦７の突没規制が解除され、本体部３に対する把持部４の相対スライドが許容される。なお、スイッチ連結板２１とスライド規制片２２は、一部材によって構成してもよい。
【００４７】
さらに、本実施形態では、把持部４の回動部分に、スイッチハンドル６のオン操作に連動して把持部４を本体部に回動固定する回動ロック機構３０を設けてある。
【００４８】
回動ロック機構３０は、クリック部材としての上述したクリックギア１３と、板ばね部材としての上述したクリック板１４と、スイッチ連結部材としての上述したスイッチ連結板２１と、このスイッチ連結板２１に連動した後述の回動規制片３１と、を備えて構成してある。
【００４９】
クリックギア１３は、図１１に示すように、回動基台９と一体に回動して外周に歯車状の凹凸部１３ａを形成してあり、その凹凸部１３ａにクリック板１４に設けた凸部１４ａが弾性力をもって係合するようになっている。
【００５０】
スイッチ連結板２１には、図４に示すように穴部２１ａが穿設されており、この穴部２１ａに、図１７に示す回動規制片３１の一端部に設けた先端凸部３１ａが嵌合している。また、回動規制片３１の中間部には中心凸部３１ｂを設けてあり、その中心凸部３１ｂを正面カバー３Ｃの裏面に形成した穴３ｂに回動可能に嵌合し、その中心凸部３１ｂを中心として回動規制片３１が回動するようになっている。そして、この回動規制片３１の回動に伴って、回動規制片３１の他端部３１ｃが、クリック板１４の外面（図１７中手前側）に重なる位置に対して進退可能となっている。
【００５１】
したがって、スイッチハンドル６のオン操作に（すなわち長手方向一方側（図１，図４中上方への移動））に伴ってスイッチ連結板２１が長手方向一方側へ移動すると、スイッチ連結板２１に連動して回動規制片３１が回動し、その他端部３１ｃが、図１７に示すように、クリック板１４の外面に重なる位置まで進出する。よって、この他端部３１ｃにより、クリック板１４の撓み変形が阻止され、クリック板１４の凸部１４ａがクリックギア１３の凹凸部１３ａのいずれかに係合されている状態でロックされることとなり、以て、回動基台９すなわち把持部４は本体部３に対して相対回動できなくなる。
【００５２】
他方、スイッチハンドル６のオフ操作（すなわち長手方向他方側（図１，図４中下方への移動））に伴ってスイッチ連結板２１が長手方向他方側へ移動すると、回動規制片３１は、中心凸部３１ｂを中心として逆方向に回動して、その他端部３１ｃがクリック板１４の外面と重なる位置から退出する。本実施形態では、他端部３１ｃは、図１７の視線で、上方かつ短手方向中心側に移動する。したがって、この状態では、他端部３１ｃによるクリック板１４の移動規制が解除され、本体部３に対する把持部４の相対回動が許容される。
【００５３】
このとき、クリック板１４の外面１４ｂと正面カバー３Ｃとの間の隙間は、回動規制片３１の他端部３１ｃの厚みとほぼ同じかあるいはわずかに大きな高さとしてあり、クリック板１４の外面１４ｂに回動規制片３１の他端部３１ｃが重なった状態では、他端部３１ｃを正面カバー３Ｃで押さえることができて、クリック板１４の撓み変形をより確実に阻止することができる。
【００５４】
以上、説明したように、本実施形態では、本体部３と別体に設けた把持部４を、本体部３に対して長手方向に沿って伸縮するようにスライド可能、かつ回動可能に構成した。このため、利用者が刃ブロック２を皮膚に当てるときに、本体部３および把持部４を使いやすい長さや角度に変化させることができ、電動除毛器１の使い勝手を向上させることができる。
【００５５】
したがって、従来の固定的な電動除毛器では刃ブロック２を当て難かった足先端部や、ふくらはぎ、背中といった部分に対しても、容易に先端部の刃ブロック２を当てることができるようになり、特に、把持部４を伸長させた状態で回動させることによって、背中などの手から遠い部位にあっても刃ブロック２を当てることが可能となる。
【００５６】
また、スライドロック機構２０を設けて、可動子としてのスイッチハンドル６のオン操作に連動して本体部３と把持部４との相対スライドをロックするようにしたので、電動除毛器１の使用時に本体部３と把持部４とが不本意に相対スライドするのを抑制でき、使い勝手をより一層向上することができる。
【００５７】
また、本実施形態では、スライドロック機構２０は、把持部４に所定間隔をもって長手方向に複数設けたレール凹部１１ａ，１１ｂ，１１ｃに付勢力をもって係脱自在に嵌合するスライドロック釦７と、スイッチハンドル６に連動して往復動するスイッチ連結板２１と、スイッチ連結板２１に連動し、スイッチハンドル６のオン操作時にスライドロック釦７がレール凹部１１ａ，１１ｂ，１１ｃから離脱するのを阻止するスライド規制片２２と、を有する。よって、スライドロック機構２０を、比較的簡素な構成として得ることができる。
【００５８】
さらに、本実施形態では、スイッチハンドル６と連動して本体部３と把持部４との相対回動をロックする回動ロック機構３０を設けた。このため、電動除毛器１の使用時に本体部３と把持部４とが不本意に相対回動するのを抑制でき、使い勝手をより一層向上することができる。
【００５９】
また、本実施形態では、回動ロック機構３０は、把持部４と一体に回動してその外周に凹凸部１３ａを形成したクリックギア１３と、クリックギア１３の凹凸部１３ａに付勢力をもって係脱自在に嵌合するクリック板１４と、スイッチ連結板２１に連動し、スイッチハンドル６のオン操作時にクリック板１４がクリックギア１３から離脱するのを阻止する回動規制片３１と、を有する。このため、回動ロック機構３０を、比較的簡素な構成として得ることができる。
【００６０】
以上、本発明の好適な実施形態について説明したが、本発明は上記実施形態には限定されず、種々の変形が可能である。例えば、スライドロック機構や回動ロック機構の詳細構造は種々に変形することが可能である。また、載置面３Ｆや接触部４Ｐの形状は配置等は、適宜に変更することができる。また、刃ブロック２にはトリマー刃２Ｔとネット刃２Ｎを設けたが、これに限ることなく、１つの刃のみを設けたものであっても良く、また、その他の刃を設けたものでもよい。
【図面の簡単な説明】
【００６１】
【図１】本発明の一実施形態にかかる電動除毛器の正面図である。
【図２】本発明の一実施形態にかかる電動除毛器の側面図である。
【図３】図１中III−III線に沿った断面図である。
【図４】本発明の一実施形態にかかる電動除毛器の把持部と正面カバーを外した状態を示す正面図である。
【図５】本発明の一実施形態にかかる電動除毛器の把持部と正面カバーを外した状態を示す側面図である。
【図６】本発明の一実施形態にかかる電動除毛器の把持部を最も大きく引き出した状態を示す正面図である。
【図７】本発明の一実施形態にかかる電動除毛器の把持部を最も大きく引き出した状態を示す側面図である。
【図８】図７中VIII−VIII線に沿った断面図である。
【図９】本発明の一実施形態にかかる電動除毛器の把持部の正面図である。
【図１０】図９中X−X線に沿った断面図である。
【図１１】本発明の一実施形態にかかる電動除毛器の角度調整機構の断面図である。
【図１２】本発明の一実施形態にかかる電動除毛器の把持部を最も大きく回動させた状態を示す斜視図である。
【図１３】本発明の一実施形態にかかる電動除毛器の把持部を最も大きく回動させた状態を示す側面図である。
【図１４】本発明の一実施形態にかかる電動除毛器の荷重逃がし部の作動状態での側面図である。
【図１５】本発明の一実施形態にかかる電動除毛器の荷重逃がし部の作動状態での角度調整機構の断面図である。
【図１６】図４中XVI−XVI線に沿った断面図である。
【図１７】本発明の一実施形態にかかる電動除毛器の正面カバーおよびスイッチ連結板を外した状態での正面図である。
【符号の説明】
【００６２】
１  電動除毛器
２  刃ブロック（刃部）
３  本体部
４  把持部
７  スライドロック釦
１１ａ，１１ｂ，１１ｃ  レール凹部（凹部）
１２  角度調整機構
１３  クリックギア（クリック部材）
１３ａ  凹凸部
１４  クリック板（回動ロック部材）
２０  スライドロック機構
２１  スイッチ連結板（スイッチ連結部材）
２２  スライド規制片
３０  回動ロック機構
３１  回動規制片
【図１】
0004462344.tif 000002
【図２】
0004462344.tif 000003
【図３】
0004462344.tif 000004
【図４】
0004462344.tif 000005
【図５】
0004462344.tif 000006
【図６】
0004462344.tif 000007
【図７】
0004462344.tif 000008
【図８】
0004462344.tif 000009
【図９】
0004462344.tif 000010
【図１０】
0004462344.tif 000011
【図１１】
0004462344.tif 000012
【図１２】
0004462344.tif 000013
【図１３】
0004462344.tif 000014
【図１４】
0004462344.tif 000015
【図１５】
0004462344.tif 000016
【図１６】
0004462344.tif 000017
【図１７】
0004462344.tif 000018